(57)【特許請求の範囲】
【請求項１】
矩形状ラミネートフィルム包材を長手方向側端を合掌状に合わせて筒状とし、合掌部分を接合して合掌接着部を形成し、合掌接着部を折り返し線を介して本体側に折り返し、筒状の両端開口部をそれぞれ接合して箱形に成形される包装容器において、合掌接着部の端縁に間隔を置いて２本の切り込みを設けるとともに、２本の切り込みに対応する折り返し線に近い本体側に裏面まで貫通しない円弧状切り込み線を設け、円弧状切り込み線の両端を２本の切り込みの延長線に接続または交差するように折り返し線を含む合掌接着部側に延ばしたことを特徴とする包装容器。
【請求項２】
矩形状ラミネートフィルム包材を長手方向側端を合掌状に合わせて筒状とし、合掌部分を接合して合掌接着部を形成し、合掌接着部を折り返し線を介して本体側に折り返し、筒状の両端開口部をそれぞれ接合して箱形に成形される包装容器において、合掌接着部の端縁に間隔を置いて２本の切り込みを設けるとともに、２本の切り込みに対応する折り返し線に近い本体側に裏面まで貫通しない台形状切り込み線を設け、台形状切り込み線の両端を２本の切り込みの延長線に接続または交差するように折り返し線を含む合掌接着部側に延ばしたことを特徴とする包装容器。
【請求項３】
プラスチックラミネートフィルム包材は、２軸延伸ポリエステルフィルムと１軸延伸高密度ポリエチレンフィルムとポリエチレンフィルムの３層構造であることを特徴とする請求項１または２に記載の包装容器。
【請求項４】
プラスチックラミネートフィルム包材は、２軸延伸ポリエステルフィルムと１軸延伸ポリプロピレンフィルムとポリエチレンフィルムの３層構造であることを特徴とする請求項１または２に記載の包装容器。
【請求項５】
プラスチックラミネートフィルム包材は、２軸延伸ポリエステルフィルムとアルミニウム箔と１軸延伸ポリプロピレンフィルムとポリエチレンフィルムの４層構造であることを特徴とする請求項１または２に記載の包装容器。
【発明の詳細な説明】
【０００１】
【発明の属する技術分野】
本発明は、全周に沿って開封して内容物を簡単に取り出すことを可能にする包装容器に関する。
【０００２】
【従来の技術】
この種の包装容器は、矩形状ラミネートフィルム包材を長手方向側端を合掌状に合わせて筒状とし、合掌部分を接合して合掌接着部を形成し、合掌接着部を本体側に折り返して筒状の一端開口部を接合して封止部を形成し、他端開口から羊羹等の練り状食品を圧入充填した後、他端開口部を接合して封止部を形成することで箱形に成形される。
【０００３】
羊羹等の練り状食品を圧入充填する包装容器は、防湿性と密封性を具有するラミネートフィルム包材により成形され、合掌接着部の強度も強く設定されているため、合掌接着部から簡単に開封することができない構成となっている。
【０００４】
包装容器に充填された内容物を取り出すには、利用者が鋏等の刃物を用いて包装容器の合掌接着部の一部を切断しながら切り開かねばならず、内容物の取り出しが面倒であるという問題があった。
【０００５】
そこで、上記問題点を解決するために、包装容器の合掌接着部に２本の切り込みを設けるとともに、２本の切り込みの延長線上における折り返し線に近い本体側に切り込み線を設け、合掌接着部から簡単に破り開くことができる包装容器が開発された。
【０００６】
ラミネートフィルム包材を合掌状に接合して筒状の胴部を形成し、筒状の胴部の両端開口部を接合して箱形に成形される包装容器において、合掌接着部の端縁に間隔を置いて２本の切り込みを設けるとともに、２本の切り込みに対応する折り返し線に近い本体側に折り返し線に平行に延びる破断直線を設け、２本の切り込みによってできたつまみ部により全周に沿って開封して内容物を取り出すことを可能にする包装容器は、たとえば、特開平９−１０４４４９号公報に記載されている。
【０００７】
【発明が解決しようとする課題】
上記形式の包装容器は、破断直線が折り返し線に近い本体側に折り返し線に平行に設けられているので、２本の切り込みによって形成されるつまみ部により全周に沿って開封することはできるものの、位置決め当て板を合掌接着部の折り返し線に沿って当てて、合掌接着部を本体側に折り返す際に、位置決め当て板により本体側に形成された破断直線が破れてしまうことがあり、不良品を作ってしまうという問題点がある。
【０００８】
本発明は上記した点に鑑みてなされたもので、包装容器の合掌接着部を本体側に折り返す際に、位置決め当て板により破断線が破れることがなく、全周に沿って開封して内容物を取り出すことを可能にする包装容器を提供することを目的とする。
【０００９】
【課題を解決するための手段】
本発明の包装容器は、矩形状ラミネートフィルム包材を長手方向側端を合掌状に合わせて筒状とし、合掌部分を接合して合掌接着部を形成し、合掌接着部を折り返し線を介して本体側に折り返し、筒状の両端開口部をそれぞれ接合して箱形に成形される包装容器において、合掌接着部の端縁に間隔を置いて２本の切り込みを設けるとともに、２本の切り込みに対応する折り返し線に近い本体側に円弧状の裏面まで貫通しない切り込み線を設け、円弧状切り込み線の両端を２本の切り込みの延長線に接続または交差するように折り返し線を含む合掌接着部側に延ばすことで、包装容器の合掌接着部を本体側に折り返す際に、位置決め当て板により破断線が破れることがないので、不良品の発生をなくすことができる。
【００１０】
本発明の包装容器は、矩形状ラミネートフィルム包材を長手方向側端を合掌状に合わせて筒状とし、合掌部分を接合して合掌接着部を形成し、合掌接着部を折り返し線を介して本体側に折り返し、筒状の両端開口部をそれぞれ接合して箱形に成形される包装容器において、合掌接着部の端縁に間隔を置いて２本の切り込みを設けるとともに、２本の切り込みに対応する折り返し線に近い本体側に台形状の裏面まで貫通しない切り込み線を設け、切り込み線の両端を２本の切り込みの延長線に接続または交差するように折り返し線を含む合掌接着部側まで延ばすことで、包装容器の合掌接着部を本体側に折り返す際に、位置決め当て板により破断線が破れることがないので、不良品の発生をなくすことができる。
【００１１】
また、本発明の包装容器は、ラミネートフィルム包材を熱接着層であるポリエチレンフィルムに隣接して１軸延伸ポリプロピレンフィルムを有する構成とし、１軸延伸ポリプロピレンフィルムの１軸延伸方向を切り込みと同じ方向にすることで、２本の切り込みによって形成されるたつまみ部により全周にわたって同じ幅で開封することができる。
【００１２】
【発明の実施の形態】
以下本発明の実施の形態を図面につき説明する。
図１は本発明による包装容器を羊羮のような食品を収容する箱形包装容器に適用した例を示す図である。
【００１３】
上記箱形包装容器１は、図１および図２に示すように、矩形状に裁断したプラスチックラミネートフィルム包材２を長手方向側端２ａ，２ａを合掌状に合わせて筒状とし、合掌部分を互いに接合して合掌接着部３を形成するとともに、合掌接着部を折り返し線４を介して本体側２ｂに折り返し、筒状の両端開口部を接合して封止部５，６を形成することで箱形に成形される。
【００１４】
上記包装容器１は、図２および図３に示すように、合掌接着部３の端縁につまみ幅に相当する約１０ｍｍの間隔を置いて２本の切り込み７，７を有する。これら２本の切り込み７，７は、合掌接着部３の端縁から折り返し線４の方向に合掌接着部３の突き合わせ長さの略１／２程度延びている。合掌接着部３の２本の切り込み７，７により切り離される部分がつまみ部１０を形成する。また、２本の切り込み７，７に対応した折り返し線４に近い本体側２ｂに台形状切り込み線８が形成されている。
【００１５】
上記台形状切り込み線８は、１ｍｍの切り込みと０．５ｍｍの連続部を交互に設けたミシン目で形成される。ミシン目の切り込み深さは、表面層から裏面層に至らない深さである。
【００１６】
台形状切り込み線８の傾斜した両端部８ａ，８ａは、本体側２ａから折り返し線４を越えて合掌接着部３に設けた切り込み７，７に連なる仮想延長線７ａ，７ａに交差する位置または交差位置を越えて延びている。台形状切り込み線８の傾斜した両端部８ａ，８ａは、本体側２ｂから折り返し線４の位置で終わっていてもよい、この場合には、台形状切り込み線８の傾斜した両端部８ａ，８ａは、合掌接着部３に設けた切り込み７，７に連なる仮想延長線７ａ，７ａに接する位置にする。台形状切り込み線８は、円弧状切り込み線であっても、３角形状であってもよい。
【００１７】
すなわち、折り返し線４に近い本体側２ｂに設けられる切り込み線は、図示しない位置決め当て板により合掌接着部を本体側に折り返す際に、破れることがない形状であればよい。
【００１８】
上記円弧状切り込み線９は、図４に示すように、台形状切り込み線８と同様に、１ｍｍの切り込みと０．５ｍｍの連続部を交互に設けたミシン目で形成される。ミシン目の切り込み深さは、表面層から裏面層に至らない深さである。
【００１９】
円弧状切り込み線９の両端部９ａ，９ａは、本体側２ｂから折り返し線４を越えて合掌接着部３に設けた切り込み７，７に連なる仮想延長線７ａ，７ａに交差する位置または交差位置を越えて延びている。円弧状切り込み線９の両端部９ａ，９ａは、本体側２ｂから折り返し線４の位置で終わっていてもよい、この場合には、円弧形状切り込み線９の両端部９ａ，９ａは、合掌接着部３に設けた切り込み７，７に連なる仮想延長線７ａ，７ａに接する位置にする。
【００２０】
上記プラスチックラミネートフィルム包材２とし、たとえば、厚さ１２ミクロンの蒸着２軸延伸ポリエステルフイルムと厚さ１８ミクロンの１軸延伸ポリエチレンフイルムと厚さ２０ミクロンの低密度ポリエチレンフイルムのラミネートフイルム、または厚さ１２ミクロンの蒸着２軸延伸ポリエステルフイルムと厚さ２５ミクロンの１軸延伸ポリプロピレンフイルムと厚さ２０ミクロンの低密度ポリエチレンフイルムのラミネートフイルム、または厚さ１２ミクロンの２軸延伸ポリエステルフィルムと厚さ７ミクロンのアルミニウム箔と厚さ１８ミクロンの１軸延伸高密度ポリプロピレンフィルムと厚さ２０ミクロンの低密度ポリエチレンフィルムのラミネートフイルム、または厚さ１２ミクロンの２軸延伸ポリエステルフィルムと厚さ７ミクロンのアルミニウム箔と厚さ２５ミクロンの１軸延伸ポリプロピレンフィルムと厚さ２０ミクロンの低密度ポリエチレンフィルムのラミネートフイルムが選定される。
【００２１】
なお、上記実施の形態では、合掌接着部３の端縁に設けた切り込みは一対であるが、箱形包装容器１が細長い形態であれば、中間部を挟んで両端側にそれぞれ一対づつ設けることもできる。
【００２２】
つぎに、箱形包装容器１の成形方法を説明する
フィルム包材２として、蒸着２軸延伸ポリエステルフイルムと１軸延伸ポリエチレンフイルムと低密度ポリエチレンフイルムの３層ラミネートフイルムを選定し、フィルム包材２を箱形包装容器１に対応する矩形状に裁断する。
【００２３】
つぎに、矩形状に裁断したフィルム包材２の形成されるべき合掌接着部３の折り返し線４より本体側２ａの部位に合掌接着部３に形成されるべき２本の切り込み７，７に対応して表面層から裏面層に至らない深さ、たとえば、蒸着２軸延伸ポリエステルフイルムと１軸延伸ポリエチレンフイルムを貫通する深さの台形状切り込み線８を形成する。この台形状切り込み線８は円弧状切り込み線９であつてもよい。
【００２４】
台形状切り込み線８は、その両端部８ａ，８ａが本体側２ｂから折り返し線４を越えて合掌接着部３に設けられる切り込み７，７に連なる仮想延長線７ａ，７ａに交差する位置または交差位置を越えた位置まで延びるようにする。
【００２５】
つぎに、フィルム包材２を低密度ポリエチレンフイルムを内側にして、図２に示すように、長手方向側端２ａ，２ａを合掌状に合わせて筒状とし、合掌部分の低密度ポリエチレンフイルム同士を熱溶着により互いに接合して合掌接着部３を形成する。
【００２６】
つぎに、合掌接着部３の端縁に、本体側２ａに設けた台形状切り込み線８に対応して、２本の切り込み７，７を形成する。２本の切り込み７，７の長さは、合掌接着部３の突き合わせ長さの略１／２程度である。この場合、２本の切り込み７，７は、２本の切り込み７，７から延びる仮想延長線７ａ，７ａが台形状切り込み線８の両端部８ａ，８ａに交差するかまたは交差位置を越えるような位置とする。
【００２７】
つぎに、図示しない位置決め当て板を折り返し線４に沿って当て、合掌接着部３を折り返し線４を介して本体側２ｂに折り返し、筒状体の一方の開口部を低密度ポリエチレンフイルム同士を熱溶着により互いに接合して封止部５を形成する。この場合、位置決め当て板が台形状切り込み線８の折り返し線４に平行な直線部分に当たらないように設定することで、合掌接着部３を折り返し線４を介して本体側２ｂに折り返す際に、台形状切り込み線８が位置決め当て板により破れることがない。
【００２８】
ついで、羊羮のような食品が開口端から箱形包装容器に圧入充填される。そして、箱形包装容器の開口部を低密度ポリエチレンフイルム同士を熱溶着により互いに接合することで封止部６が形成される。これにより、羊羮のような食品を収容した箱形包装容器２が形成される。
【００２９】
しかして、箱形包装容器２を破いて収容された内容物を取り出すためには、箱形包装容器２の折り返された合掌接着部３を本体側２ｂから所定角度起こし、起こした合掌接着部３の２本の切り込み７，７の間の部分を持って箱形包装容器２から離れる方向に引っ張る。これにより、合掌接着部３は、２本の切り込み７，７を開封開始点として破れつまみ部１０を形成する。
【００３０】
つまみ部１０をさらに引っ張ると、合掌接着部３は、２本の切り込み７，７に続く仮想延長線７ａ，７ａに沿って破れる。この破断された線の先端が合掌接着部３まで延びる台形状切り込み線８の両端部８ａ，８ａに達すると、破断された線は両端部８ａ，８ａを介して折り返し線４より本体側２ｂに位置する台形状切り込み線８の直線部に至り、台形状切り込み線８の直線部を破く。これにより、つまみ部１０は、本体側２ｂに接続された部分から切り離される。
【００３１】
つまみ部１０をさらに引っ張ると、つまみ部１０は、図５に示すように、本体体側２ｂをその幅で全周に沿って開封し、箱形包装容器２は、その長手方向中間部をリング状に破かれ、これにより、箱形包装容器２に収容された内容物を取り出すことができる。
【００３２】
【発明の効果】
以上述べたように、本発明によれば、包装容器の合掌接着部を本体側に折り返す際に、位置決め当て板により破断線が破れることがないので、不良品の発生をなくすことができる。
【００３３】
また、本発明の包装容器は、ラミネートフィルム包材を熱接着層であるポリエチレンフィルムに隣接して１軸延伸ポリプロピレンフィルムを有する構成とし、１軸延伸ポリプロピレンフィルムの１軸延伸方向を切り込みと同じ方向にすることで、２本の切り込みによって形成されるたつまみ部により全周に沿って同じ幅で開封することができる。
【図面の簡単な説明】
【図１】本発明による包装容器の斜視図。
【図２】本発明による包装容器の成形中間段階を示す拡大断面図。
【図３】本発明による包装容器の本体側に形成された切り込み線の一例を示す図。
【図４】本発明による包装容器の本体側に形成された切り込み線の他例を示す図。
【図５】本発明による包装容器の開封状態を示す図。
【符号の説明】
１  包装容器
２  ラミネートフィルム包材
３  合掌接着部
４  折り返し線
７  切り込み
８  破断線
【図１】
0003916942.tif 000002
【図２】
0003916942.tif 000003
【図３】
0003916942.tif 000004
【図４】
0003916942.tif 000005
【図５】
0003916942.tif 000006